(57)【特許請求の範囲】
【請求項１】
基地局の第１のセットのうちの少なくとも第１の基地局が実行する、ワイヤレス通信の方法であって、
少なくとも前記第１の基地局が、第１の時分割複信（ＴＤＤ）構成にしたがって基地局の前記第１のセットによってサービスされるユーザ機器（ＵＥ）をスケジュールすることであって、基地局の前記第１のセットが、第２のＴＤＤ構成で動作する第１の領域中の基地局の第２のセットと第３のＴＤＤ構成で動作する第２の領域中の基地局の第３のセットとの間に位置し、前記第１のＴＤＤ構成が、前記第２のＴＤＤ構成のアップリンクサブフレームと衝突するダウンリンクサブフレームを有しない、スケジュールすることと、
ＵＥと前記第３のＴＤＤ構成で動作する基地局とに対するユーザ機器対ユーザ機器干渉を回避するために基地局の前記第１のセットによってサービスされるＵＥを制限することと
を備える、方法。
【請求項２】
前記第１のＴＤＤ構成が前記第３のＴＤＤ構成と同じである、請求項１に記載の方法。
【請求項３】
前記第１のＴＤＤ構成がロングタームエボリューション（ＬＴＥ）ＴＤＤ構成０である、請求項１に記載の方法。
【請求項４】
アグレッサＵＥが前記干渉を引き起こすことを検出することをさらに備える、請求項１に記載の方法。
【請求項５】
ビクティムＵＥが前記干渉を受けることを検出することをさらに備える、請求項１に記載の方法。
【請求項６】
基地局の第１のセットのうちの少なくとも第１の基地局における、ワイヤレス通信のための装置であって、
少なくとも前記第１の基地局が、第１の時分割複信（ＴＤＤ）構成にしたがって基地局の前記第１のセットによってサービスされるユーザ機器（ＵＥ）をスケジュールするための手段であって、基地局の前記第１のセットが、第２のＴＤＤ構成で動作する第１の領域中の基地局の第２のセットと第３のＴＤＤ構成で動作する第２の領域中の基地局の第３のセットとの間に位置し、前記第１のＴＤＤ構成が、前記第２のＴＤＤ構成のアップリンクサブフレームと衝突するダウンリンクサブフレームを有しない、スケジュールするための手段と、
ＵＥと前記第３のＴＤＤ構成で動作する基地局とに対するユーザ機器対ユーザ機器干渉を回避するために基地局の前記第１のセットによってサービスされるＵＥを制限するための手段と
を備える、装置。
【請求項７】
基地局の第１のセットのうちの少なくとも第１の基地局における、ワイヤレス通信のために構成されたコンピュータプログラムであって、
少なくとも前記第１の基地局が、第１の時分割複信（ＴＤＤ）構成にしたがって基地局の前記第１のセットによってサービスされるユーザ機器（ＵＥ）をスケジュールするためのプログラムコードであって、基地局の前記第１のセットが、第２のＴＤＤ構成で動作する第１の領域中の基地局の第２のセットと第３のＴＤＤ構成で動作する第２の領域中の基地局の第３のセットとの間に位置し、前記第１のＴＤＤ構成が、前記第２のＴＤＤ構成のアップリンクサブフレームと衝突するダウンリンクサブフレームを有しない、スケジュールするためのプログラムコードと、
ＵＥと前記第３のＴＤＤ構成で動作する基地局とに対するユーザ機器対ユーザ機器干渉を回避するために基地局の前記第１のセットによってサービスされるＵＥを制限するためのプログラムコードと
を備える、コンピュータプログラム。
【請求項８】
基地局の第１のセットのうちの少なくとも第１の基地局における、ワイヤレス通信のために構成された装置であって、
メモリと、
前記メモリに結合された少なくとも１つのプロセッサであって、
少なくとも前記第１の基地局が、第１の時分割複信（ＴＤＤ）構成にしたがって基地局の前記第１のセットによってサービスされるユーザ機器（ＵＥ）をスケジュールすることであって、基地局の前記第１のセットが、第２のＴＤＤ構成で動作する第１の領域中の基地局の第２のセットと第３のＴＤＤ構成で動作する第２の領域中の基地局の第３のセットとの間に位置し、前記第１のＴＤＤ構成が、前記第２のＴＤＤ構成のアップリンクサブフレームと衝突するダウンリンクサブフレームを有しない、スケジュールすることと、
ＵＥと前記第３のＴＤＤ構成で動作する基地局とに対するユーザ機器対ユーザ機器干渉を回避するために基地局の前記第１のセットによってサービスされるＵＥを制限することと
を行うように構成された少なくとも１つのプロセッサと
を備える、装置。
【請求項９】
前記第１のＴＤＤ構成が前記第３のＴＤＤ構成と同じである、請求項８に記載の装置。
【請求項１０】
前記第１のＴＤＤ構成がロングタームエボリューション（ＬＴＥ）ＴＤＤ構成０である、請求項８に記載の装置。
【請求項１１】
前記少なくとも１つのプロセッサが、アグレッサＵＥがユーザ機器対ユーザ機器干渉を引き起こすことを検出するようにさらに構成された、請求項８に記載の装置。
【請求項１２】
前記少なくとも１つのプロセッサが、ビクティムＵＥがユーザ機器対ユーザ機器干渉を受けることを検出するようにさらに構成された、請求項８に記載の装置。
【発明の詳細な説明】
【技術分野】
【０００１】
関連出願の相互参照
本願は、その開示全体が参照により本明細書に明確に組み込まれる、２０１１年１１月１４日に出願された「ＳＵＰＰＯＲＴＩＮＧ  ＤＩＦＦＥＲＥＮＴ  ＬＴＥ−ＴＤＤ  ＣＯＮＦＩＧＵＲＡＴＩＯＮＳ  ＩＮ  ＮＥＩＧＨＢＯＲＩＮＧ  ＲＥＧＩＯＮＳ  ＡＮＤ／ＯＲ  ＡＤＪＡＣＥＮＴ  ＣＡＲＲＩＥＲＳ」と題する米国仮特許出願第６１／５５９，４６６号の米国特許法第１１９条（ｅ）項に基づく利益を主張する。
【０００２】
本開示の態様は、一般にワイヤレス通信システムに関し、より詳細には、近接領域および／または隣接キャリアにおける異なるＬＴＥ−ＴＤＤ構成のサポートに関する。
【背景技術】
【０００３】
ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムが挙げられる。
【０００４】
これらの多元接続技術は、異なるワイヤレスデバイスが都市、国家、地域、さらには地球規模で通信することを可能にする共通プロトコルを提供するために、様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイル電気通信システム（ＵＭＴＳ：Universal Mobile Telecommunications System）モバイル規格の拡張のセットである。それは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、そして多入力多出力（ＭＩＭＯ）アンテナ技術を使用して、他のオープン規格とより良く統合されるように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【０００５】
ここでは、以下の詳細な説明がより良く理解され得るように、本開示の特徴および技術的利点についてやや広く概説した。以下で、本開示の追加の特徴および利点について説明する。本開示が、本開示の同じ目的を果たす他の構造を変更または設計するための基礎として容易に利用され得ることを、当業者は諒解されたい。また、そのような等価な構成が、添付の特許請求の範囲に記載の本開示の教示から逸脱しないことも、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えられたものであり、本開示の限界を定めるものではないことを明確に理解されたい。
【発明の概要】
【０００６】
以下で、本開示の追加の特徴および利点について説明する。本開示は、本開示の同じ目的を実行するための他の構造を変更または設計するための基礎として容易に利用され得ることを、当業者は諒解されたい。また、そのような等価な構成が、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えられたものであり、本開示の限界を定めるものではないことを明確に理解されたい。
【０００７】
ワイヤレス通信の方法を提供する。本方法は、第１の時分割複信（ＴＤＤ：time division duplex）構成にしたがって基地局の第１のセットによってサービスされるユーザ機器（ＵＥｓ：user equipments）をスケジュールすることを含む。基地局の第１のセットは、第２のＴＤＤ構成で動作する第１の領域中の基地局の第２のセットと第３のＴＤＤ構成で動作する第２の領域中の基地局の第３のセットとの間に位置する。第１のＴＤＤ構成は、第２のＴＤＤ構成のアップリンクサブフレームと衝突するダウンリンクサブフレームを有しない。本方法はまた、ＵＥと第３のＴＤＤ構成で動作する基地局とに対するユーザ機器対ユーザ機器干渉を回避するために基地局の第１のセットによってサービスされるＵＥを制限することを含む。
【０００８】
ワイヤレス通信のための装置を提供する。本装置は、第１の時分割複信（ＴＤＤ）構成にしたがって基地局の第１のセットによってサービスされるユーザ機器（ＵＥ）をスケジュールするための手段を含む。基地局の第１のセットは、第２のＴＤＤ構成で動作する第１の領域中の基地局の第２のセットと第３のＴＤＤ構成で動作する第２の領域中の基地局の第３のセットとの間に位置する。第１のＴＤＤ構成は、第２のＴＤＤ構成のアップリンクサブフレームと衝突するダウンリンクサブフレームを有しない。本装置はまた、ＵＥと第３のＴＤＤ構成で動作する基地局とに対するユーザ機器対ユーザ機器干渉を回避するために基地局の第１のセットによってサービスされるＵＥを制限するための手段を含む。
【０００９】
ワイヤレス通信のために構成されたコンピュータプログラム製品を提供する。本コンピュータプログラム製品は、非一時的プログラムコードを記録した非一時的コンピュータ可読媒体を含む。プログラムコードは、第１の時分割複信（ＴＤＤ）構成にしたがって基地局の第１のセットによってサービスされるユーザ機器（ＵＥ）をスケジュールするためのプログラムコードを含む。基地局の第１のセットは、第２のＴＤＤ構成で動作する第１の領域中の基地局の第２のセットと第３のＴＤＤ構成で動作する第２の領域中の基地局の第３のセットとの間に位置する。第１のＴＤＤ構成は、第２のＴＤＤ構成のアップリンクサブフレームと衝突するダウンリンクサブフレームを有しない。プログラムコードはまた、ＵＥと第３のＴＤＤ構成で動作する基地局とに対するユーザ機器対ユーザ機器干渉を回避するために基地局の第１のセットによってサービスされるＵＥを制限するためのプログラムコードを含む。
【００１０】
ワイヤレス通信のために構成された装置を提供する。本装置は、メモリとメモリに結合された（１つまたは複数の）プロセッサとを含む。プロセッサは、第１の時分割複信（ＴＤＤ）構成にしたがって基地局の第１のセットによってサービスされるユーザ機器（ＵＥ）をスケジュールするように構成される。基地局の第１のセットは、第２のＴＤＤ構成で動作する第１の領域中の基地局の第２のセットと第３のＴＤＤ構成で動作する第２の領域中の基地局の第３のセットとの間に位置する。第１のＴＤＤ構成は、第２のＴＤＤ構成のアップリンクサブフレームと衝突するダウンリンクサブフレームを有しない。プロセッサはまた、ＵＥと第３のＴＤＤ構成で動作する基地局とに対するユーザ機器対ユーザ機器干渉を回避するために基地局の第１のセットによってサービスされるＵＥを制限するように構成される。
【００１１】
ワイヤレス通信の方法を提供する。本方法は、第１のユーザ機器（ＵＥ）と第２のＵＥとの通信フレームがアライン（aligned）されたときに、第１のＵＥのダウンリンク時分割複信（ＴＤＤ）通信が第２のＵＥのアップリンクＴＤＤ通信からの干渉をいつ受けるかを決定することを含む。本方法はまた、干渉を低減するように通信をスケジュールすることを含む。
【００１２】
ワイヤレス通信のための装置を提供する。本装置は、第１のユーザ機器（ＵＥ）と第２のＵＥとの通信フレームがアラインされたときに、第１のＵＥのダウンリンク時分割複信（ＴＤＤ）通信が第２のＵＥのアップリンクＴＤＤ通信からの干渉をいつ受けるかを決定するための手段を含む。本装置はまた、干渉を低減するように通信をスケジュールするための手段を含む。
【００１３】
ワイヤレス通信のために構成されたコンピュータプログラム製品を提供する。本コンピュータプログラム製品は、非一時的プログラムコードを記録した非一時的コンピュータ可読媒体を含む。プログラムコードは、第１のユーザ機器（ＵＥ）と第２のＵＥとの通信フレームがアラインされたときに、第１のＵＥのダウンリンク時分割複信（ＴＤＤ）通信が第２のＵＥのアップリンクＴＤＤ通信からの干渉をいつ受けるかを決定するためのプログラムコードを含む。プログラムコードはまた、干渉を低減するように通信をスケジュールするためのプログラムコードを含む。
【００１４】
ワイヤレス通信のために構成された装置を提供する。本装置は、メモリとメモリに結合された（１つまたは複数の）プロセッサとを含む。（１つまたは複数の）プロセッサは、第１のユーザ機器（ＵＥ）と第２のＵＥとの通信フレームがアラインされたときに、第１のＵＥのダウンリンク時分割複信（ＴＤＤ）通信が第２のＵＥのアップリンクＴＤＤ通信からの干渉をいつ受けるかを決定するように構成される。（１つまたは複数の）プロセッサはまた、干渉を低減するように通信をスケジュールするように構成される。
【００１５】
本開示の特徴、特性、および利点は、全体を通じて同様の参照符号が同様のものを指す図面とともに、以下に記載される詳細な説明を読めばより明らかになろう。
【図面の簡単な説明】
【００１６】
【図１】ネットワークアーキテクチャの一例を示す図。
【図２】アクセスネットワークの一例を示す図。
【図３】ＬＴＥにおけるダウンリンクフレーム構造の一例を示す図。
【図４】ＬＴＥにおけるアップリンクフレーム構造の一例を示す図。
【図５】ユーザプレーンおよび制御プレーンのための無線プロトコルアーキテクチャの一例を示す図。
【図６】アクセスネットワーク中の発展型ノードＢおよびユーザ機器の一例を示す図。
【図７】電気通信システムの一例を概念的に示すブロック図。
【図８】電気通信システムの一例を概念的に示すブロック図。
【図９】電気通信システムの一例を概念的に示すブロック図。
【図１０】本開示の一態様による、近接領域または隣接キャリアにおいて異なるＬＴＥ−ＴＤＤ構成をサポートするための方法を示すブロック図。
【図１１】本開示の一態様による、近接領域または隣接キャリアにおいて異なるＬＴＥ−ＴＤＤ構成をサポートするための方法を示すブロック図。
【図１２】例示的な装置中の異なるモジュール／手段／構成要素間のデータフローを示すブロック図。
【詳細な説明】
【００１７】
添付の図面に関して以下に示される詳細な説明は、様々な構成を説明するものであり、本明細書で説明される概念が実施され得る唯一の構成を表すものではない。詳細な説明は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素がブロック図の形式で示される。
【００１８】
様々な装置および方法に関して電気通信システムの態様が提示される。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課された設計制約に依存する。
【００１９】
例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、個別ハードウェア回路、および本開示全体にわたって説明される様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２０】
したがって、１つまたは複数の例示的な実施形態では、説明される機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。
【００２１】
図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単にするために、それらのエンティティ／インターフェースは図示されていない。図示されているように、ＥＰＳはパケット交換サービスを提供するが、当業者なら容易に諒解するように、本開示全体にわたって提示される様々な概念は、回線交換サービスを提供するネットワークに拡張され得る。
【００２２】
Ｅ−ＵＴＲＡＮは、発展型ノードＢ（ｅＮｏｄｅＢ）１０６と他のｅＮｏｄｅＢ１０８とを含む。ｅＮｏｄｅＢ１０６は、ＵＥ１０２に対してユーザプレーンプロトコル終端と制御プレーンプロトコル終端とを与える。ｅＮｏｄｅＢ１０６は、バックホール（たとえば、Ｘ２インターフェース）を介して他のｅＮｏｄｅＢ１０８に接続され得る。ｅＮｏｄｅＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮｏｄｅＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスが挙げられる。ＵＥ１０２は、また、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２３】
ｅＮｏｄｅＢ１０６は、たとえば、Ｓ１インターフェースを介して、ＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通って転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２４】
図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮｏｄｅＢ２０８は、セル２０２のうちの１つまたは複数とオーバーラップするセルラー領域２１０を有し得る。より低い電力クラスのｅＮｏｄｅＢ２０８は、リモートラジオヘッド（ＲＲＨ：remote radio head）、フェムトセル（たとえば、ホームｅＮｏｄｅＢ（ＨｅＮｏｄｅＢ）、ピコセル、またはマイクロセルであり得る。マクロｅＮｏｄｅＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮｏｄｅＢ２０４は、無線ベアラ制御、承認制御、モビリティ制御、スケジューリング、セキュリティ、およびサービングゲートウェイ１１６への接続性を含む、すべての無線関連機能を担う。
【００２５】
アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがダウンリンク上で使用され、ＳＣ−ＦＤＭＡがアップリンク上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００（登録商標）規格ファミリーの一部として第３世代パートナーシッププロジェクト２（３ＧＰＰ２：3rd Generation Partnership Project 2）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、Ｅｖｏｌｖｅｄ  ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２６】
ｅＮｏｄｅＢ２０４は、ＭＩＭＯ技術をサポートする複数のアンテナを有し得る。ＭＩＭＯ技術の使用により、ｅＮｏｄｅＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでダウンリンク上で複数の送信アンテナを通じて空間的にプリコーディングされた各ストリームを送信することによって達成される。空間的にプリコーディングされたデータストリームは、異なる空間シグネチャとともに（１つまたは複数の）ＵＥ２０６に到着し、これにより、ＵＥ２０６の各々がそのＵＥ２０６に宛てられた１つまたは複数のデータストリームを復元することが可能になる。アップリンク上で、各ＵＥ２０６は、空間的にプリコーディングされたデータストリームを送信し、これにより、ｅＮｏｄｅＢ２０４は、空間的にプリコーディングされた各データストリームのソースを識別することが可能になる。
【００２７】
空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通じて送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２８】
以下の詳細な説明では、ダウンリンク上でＯＦＤＭをサポートするＭＩＭＯシステムを参照してアクセスネットワークの様々な態様について説明する。ＯＦＤＭは、ＯＦＤＭシンボル内のいくつかのサブキャリアにわたってデータを変調するスペクトル拡散技法である。サブキャリアは精確な周波数で離間される。離間は、受信機がサブキャリアからデータを復元することを可能にする「直交性（orthogonality）」を与える。時間領域では、ＯＦＤＭシンボル間干渉に対処するために、ガードインターバル（たとえば、サイクリックプレフィックス）が各ＯＦＤＭシンボルに追加され得る。アップリンクは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２９】
図３は、ＬＴＥにおけるダウンリンクフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６つの連続ＯＦＤＭシンボルを含み、７２個のリソース要素を有する。Ｒ３０２、３０４として示されるリソース要素のいくつかはダウンリンク基準信号（ＤＬ−ＲＳ：downlink reference signal）を含む。ＤＬ−ＲＳは、セル固有ＲＳ（ＣＲＳ：Cell-specific RS）（共通ＲＳ（common RS）と呼ばれることもある）３０２と、ＵＥ固有ＲＳ（ＵＥ−ＲＳ：UE-specific RS）３０４とを含む。ＵＥ−ＲＳ３０４は、対応する物理ダウンリンク共有チャネル（ＰＤＳＣＨ：physical downlink shared channel）がその上にマッピングされるリソースブロック上でのみ送信される。各リソース要素によって搬送されるビット数は変調方式に依存する。したがって、ＵＥが受信するリソースブロックが多いほど、また変調方式が高いほど、ＵＥについてのデータレートは高くなる。
【００３０】
図４は、ＬＴＥにおけるアップリンクフレーム構造の一例を示す図４００である。アップリンクのために利用可能なリソースブロックは、データセクションと制御セクションとに区分され得る。制御セクションは、システム帯域幅の２つのエッジにおいて形成され得、設定可能なサイズを有し得る。制御セクション中のリソースブロックは、制御情報を送信するためにＵＥに割り当てられ得る。データセクションは、制御セクション中に含まれないすべてのリソースブロックを含み得る。アップリンクフレーム構造は、データセクション中の連続するサブキャリアのすべてを単一のＵＥに割り当てることを可能にし得る、連続サブキャリアを含むデータセクションをもたらす。
【００３１】
ＵＥには、ｅＮｏｄｅＢに制御情報を送信するために、制御セクション中のリソースブロック４１０ａ、４１０ｂが割り当てられ得る。ＵＥには、また、ｅＮｏｄｅＢにデータを送信するために、データセクション中のリソースブロック４２０ａ、４２０ｂも割り当てられ得る。ＵＥは、制御セクションにおいて割り当てられたリソースブロック上の物理アップリンク制御チャネル（ＰＵＣＣＨ：physical uplink control channel）中で制御情報を送信し得る。ＵＥは、データセクションにおいて割り当てられたリソースブロック上の物理アップリンク共有チャネル（ＰＵＳＣＨ：physical uplink shared channel）中でデータのみまたはデータと制御情報の両方を送信し得る。アップリンク送信は、サブフレームの両方のスロットにわたり得、周波数上でホッピングし得る。
【００３２】
初期システムアクセスを実行し、物理ランダムアクセスチャネル（ＰＲＡＣＨ：physical random access channel）４３０中でアップリンク同期を達成するためにリソースブロックのセットが使用され得る。ＰＲＡＣＨ４３０は、ランダムシーケンスを搬送し、いかなるアップリンクデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある特定の時間リソースおよび周波数リソースに制限される。周波数ホッピングはＰＲＡＣＨにはない。ＰＲＡＣＨ試行は、単一のサブフレーム（１ｍｓ）中でまたは少数の連続サブフレームのシーケンス中で搬送され、ＵＥは、フレーム（１０ｍｓ）ごとに単一のＰＲＡＣＨ試行だけを行うことができる。
【００３３】
図５は、ＬＴＥにおけるユーザプレーンおよび制御プレーンのための無線プロトコルアーキテクチャの一例を示す図５００である。ＵＥおよびｅＮｏｄｅＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮｏｄｅＢとの間のリンクを担う。
【００３４】
ユーザプレーンでは、Ｌ２レイヤ５０８は、ネットワーク側でｅＮｏｄｅＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側でＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３５】
ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ｅＮｏｄｅＢ間のＵＥに対するハンドオーバサポートとを行う。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）に起因する順序の狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り当てることを担う。ＭＡＣサブレイヤ５１０はまたＨＡＲＱ動作を担う。
【００３６】
制御プレーンでは、ＵＥおよびｅＮｏｄｅＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮｏｄｅＢとＵＥとの間のＲＲＣシグナリングを使用して下位レイヤを構成することとを担う。
【００３７】
図６は、アクセスネットワーク中でＵＥ６５０と通信しているｅＮｏｄｅＢ６１０のブロック図である。ダウンリンクでは、コアネットワークからの上位レイヤパケットが、コントローラ／プロセッサ６７５に与えられる。コントローラ／プロセッサ６７５は、Ｌ２レイヤの機能を実装する。ダウンリンクでは、コントローラ／プロセッサ６７５は、様々な優先度メトリックに基づいて、ヘッダ圧縮、暗号化、パケットのセグメント化および並べ替え、論理チャネルとトランスポートチャネルとの間の多重化、ならびにＵＥ６５０への無線リソース割当てを行う。コントローラ／プロセッサ６７５はまた、ＨＡＲＱ動作と、紛失パケットの再送信と、ＵＥ６５０へのシグナリングとを担う。
【００３８】
ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、符号化および変調方式を決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００３９】
ＵＥ６５０において、各受信機６５４ＲＸは、そのそれぞれのアンテナ６５２を通じて信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮｏｄｅＢ６１０によって送信される、可能性が最も高い信号のコンスタレーションポイントを決定することによって復元され、復調される。これらの軟判定は、チャネル推定器６５８によって計算されるチャネル推定値に基づき得る。軟判定は、次いで、物理チャネル上でｅＮｏｄｅＢ６１０によって最初に送信されたデータおよび制御信号を復元するために復号され、デインターリーブされる。データおよび制御信号は、次いでコントローラ／プロセッサ６５９に与えられる。
【００４０】
コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体とも呼ばれ得る。アップリンクでは、コントローラ／プロセッサ６５９は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担う。
【００４１】
アップリンクでは、データソース６６７は、コントローラ／プロセッサ６５９に上位レイヤパケットを与えるために使用される。データソース６６７は、Ｌ２レイヤの上のすべてのプロトコルレイヤを表す。ｅＮｏｄｅＢ６１０によるダウンリンク送信に関して説明された機能と同様に、コントローラ／プロセッサ６５９は、ヘッダ圧縮、暗号化、パケットのセグメント化および並べ替え、ならびにｅＮｏｄｅＢ６１０による無線リソース割振りに基づいた論理チャネルとトランスポートチャネルとの間の多重化を行うことによって、ユーザプレーンおよび制御プレーンのためのＬ２レイヤを実装する。コントローラ／プロセッサ６５９はまた、ＨＡＲＱ動作と、紛失パケットの再送信と、ｅＮｏｄｅＢ６１０へのシグナリングとを担う。
【００４２】
ｅＮｏｄｅＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４３】
アップリンク送信は、ＵＥ６５０における受信機機能に関して説明された方法と同様の方法で、ｅＮｏｄｅＢ６１０において処理される。各受信機６１８ＲＸは、そのそれぞれのアンテナ６２０を通じて信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００４４】
コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。アップリンクでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担う。
【００４５】
近接領域および／または隣接キャリアにおける異なるＬＴＥ−ＴＤＤ構成のサポート  
単一の無線アクセス技術の通信、または隣接通信スペクトルにおける異なる無線アクセス技術の通信が同時に動作しているときには、デバイス間の潜在的な干渉が発生し得る。たとえば、別のデバイスが送信しているときに同時に１つの通信デバイスが通信を受信しようと試みている場合、両方のデバイスが通信スペクトルの同じまたは近接した部分を使用しており、受信デバイスは干渉を受けることがある。
【００４６】
ロングタームエボリューション−時分割複信（ＬＴＥ−ＴＤＤ）では、同じ通信スペクトルが、ＵＥからｅＮｏｄｅＢへのアップリンク送信と、ｅＮｏｄｅＢからＵＥへのダウンリンク送信との両方のために使用される。しかしながら、アップリンク送信とダウンリンク送信とは、ＵＥが受信するときとＵＥが送信するときとを協調させるために時間的に直交化される。以下の表１に、ＬＴＥにおいてサポートされる様々なＴＤＤ構成が示される。  
【表１】
0005823632.tif 000002
【００４７】
表１では、Ｄはダウンリンク（ＤＬ）（すなわち、ｅＮｏｄｅＢからＵＥへの通信）のためのサブフレームを示し、Ｕはアップリンク（ＵＬ）（すなわち、ＵＥからｅＮｏｄｅＢへの通信）のためのサブフレームを示し、Ｓは特殊なサブフレームを示す。特殊なサブフレームは、ダウンリンク直交周波数分割多重（ＯＦＤＭ：Orthogonal Frequency Division Multiplexed）シンボルと、ガード期間と、アップリンクＯＦＤＭシンボルとを含み得る。
【００４８】
ＬＴＥ−ＴＤＤ実装形態では、ネイバリングｅＮｏｄｅＢ基地局は、一般に、同じサブフレーム境界と同期される。さらに、ネイバリング基地局は、そのネイバーと同じＴＤＤ構成で動作し得る。たとえば、２つのネイバリング基地局は共に、ダウンリンクサブフレームと、特殊なサブフレームと、３つのアップリンクサブフレームとが５ｍｓごとに繰り返すＴＤＤ構成０を用いて動作し得る。したがって、１つの基地局がダウンリンクにあるときには、そのネイバーも同様にダウンリンクにあり得る。このシナリオでは、１つの基地局によってサービスされているＵＥは、特に、そのＵＥが２つの基地局間のサービス境界の近くに位置する場合、ネイバリング基地局からダウンリンクサブフレームにおける干渉を受けることがある。一例を図７に示す。
【００４９】
図７に示されるように、ＵＥ７０２は、サービスエリア７０７のエッジにおいてｅＮｏｄｅＢ７０４によってサービスされる。ダウンリンク送信７１２は、ＵＥ７０２によって受信されるべき所望の信号である。しかし、ＵＥ７０２が非サービングｅＮｏｄｅＢ７０８のサービスエリア７１０のエッジに近接しているので、ＵＥ７０２はまた、非サービングｅＮｏｄｅＢ７０８からダウンリンク（ＤＬ）送信７１４を受信する。ｅＮｏｄｅＢ７０８からのダウンリンク送信７１４は、所望のダウンリンク送信７１２を受信するＵＥに干渉し得る。ＵＥは、一般に、最も強い利用可能なセルに接続されるので、干渉するダウンリンク送信７１４は、所望のダウンリンク送信７１２よりも弱いか、または同じ範囲の強度にある可能性がある。
【００５０】
ＬＴＥ−ＴＤＤは、主に、ネイバリングセルが同じ構成を使用する場合のために設計されているが、ｅＮｏｄｅＢがそのトラフィックニーズに応じてＴＤＤ構成を選定することを可能にすることが望ましいことがある。したがって、ある時間において、ネイバリング基地局は異なるＴＤＤ構成を使用して動作し得る。これにより、１つの基地局のためのアップリンク通信が別の基地局のためのダウンリンク通信と同時に起こることになり得る。ダウンリンクおよびアップリンクのために同じスペクトルが使用されるので、ネイバリングセルが異なるＴＤＤ構成を使用している場合、ＵＥは、異なるＴＤＤ構成で動作するネイバリングｅＮｏｄｅＢとのアップリンク通信に関与しているＵＥからダウンリンク干渉を受けることがある。このシナリオの一例を図８に示す。
【００５１】
図８では、ｅＮｏｄｅＢ−Ａ８０８は、ＵＥ−Ａ８２０とのそのアップリンクサブフレーム中でのアップリンク通信８１８に関与し、同時に、ｅＮｏｄｅＢ−Ｂ８０４は、ＵＥ−Ｂ８０２とのそのダウンリンクサブフレーム中でのダウンリンク通信８１２に関与する。すなわち、ＵＥ−Ａ８２０はアップリンクサブフレームにあり、同時に、ＵＥ−Ｂ８０２はダウンリンクサブフレームにある。ＵＥが互いに近くに（およびそれぞれのｅＮｏｄｅＢカバレージエリア８０６および８１０のエッジの近くに）位置するので、そして同じ通信帯域幅が各ＵＥによってアップリンクとダウンリンクの両方のために使用されるので、ＵＥ−Ａ８２０のアップリンク送信８１４はＵＥ−Ｂ８０２のダウンリンク受信に干渉し得る。ＵＥ−Ａ８２０は、ｅＮｏｄｅＢ８０４よりもはるかに低い電力で送信していることがあるが、ＵＥ−Ａ８２０がＵＥ−Ｂ８０２に十分に近い場合、ＵＥ−Ａ８２０からのアップリンク干渉８１４は、ＵＥ−Ｂ８０２の観点から、ｅＮｏｄｅＢ８０４からの意図されるダウンリンク通信８１２よりも強い受信信号であり得る。この状況は、ＵＥ−Ｂ８０２への顕著な干渉をまねき得る。
【００５２】
ＵＥは、そのような干渉に対処するように設計されないことがある。たとえば、ＵＥは、すべてのダウンリンクサブフレーム上で同様の干渉レベルを仮定して設計される。そのような干渉を受けるのが１つのサブフレームであっても、いくつかのサブフレームにおけるパフォーマンスの低下をまねき、その結果、場合によっては、リンク障害および呼断を生じ得る。無線リンク障害をまねき得る状況の２つの例が示される。第１の例では、ＵＥは、干渉レベルにしたがって重み付けすることなしに、複数のサブフレームにわたって共通基準信号（ＣＲＳ：common reference signal）から取得されたそのチャネル推定値をフィルタ処理している。チャネル推定は、１つのサブフレームに対する（図８に示すＵＥ対ＵＥ干渉などの）ＵＥ対ＵＥ干渉によって損なわれ、１つまたは複数の後続のサブフレームにおけるパフォーマンスの低下をまねき得る。第２の例では、受信信号電力に基づいて自動利得制御（ＡＧＣ：automatic gain control）が制御され得る。大きい受信電力のサブフレームが１つあると、ＡＧＣは、大きい平均受信電力を仮定し、その結果、ＵＥ対ＵＥ干渉を観測しないダウンリンクサブフレームにおける十分でない量子化をまねき、場合によっては、無線リンク障害をまねき得る。
【００５３】
２つの隣接キャリアが異なるＴＤＤ構成を使用し、その結果、１つのキャリアについてはダウンリンクであり、もう１つのキャリアについてはアップリンクであるサブフレームが生じる場合、同様の干渉問題がやはり発生し得る。たとえば、１つのキャリアが、２３０５〜２３２５ＭＨｚの帯域幅スペクトルで通信し、別のキャリアが、２３２７．５〜２３５７．５ＭＨｚの帯域幅スペクトルで通信する場合、それらの間のガードバンドは２．５ＭＨｚしかない。この場合の干渉問題は２つの問題を引き起こすことがある。第１に、それ自体のキャリアスペクトルから隣接キャリアのスペクトルへのＵＥ送信漏れが、隣接ＵＥの帯域幅により高い干渉を引き起こし得る。引き起こされる干渉は、周波数の間隔が増加するにつれて減少することになる。干渉キャリアにより近いエッジに割り振られたデータは、中心リソースブロックに割り振られたデータよりも多くこの干渉を受けることになる。第２に、第１のキャリアのＵＥについて、その帯域幅における送信電力は、（図８の例に関して上記で説明したＡＧＣ問題と同様に）第２のキャリア上で動作する隣接ＵＥにおいてＡＧＣ飽和を引き起こし得る。
【００５４】
上記で説明した潜在的な干渉シナリオに対する解決策を提案する。アグレッサＵＥ（ＵＥ対ＵＥ干渉を引き起こしているＵＥ）は、アグレッサｅＮｏｄｅＢに接続されると言われる。ビクティムＵＥ（ＵＥ対ＵＥ干渉を受けているＵＥ）は、ビクティムｅＮｏｄｅＢに接続されると言われる。ビクティムｅＮｏｄｅＢとアグレッサｅＮｏｄｅＢとは、ＴＤＤ構成ならびにｅＮｏｄｅＢのＵＥの各々が受ける潜在的なＵＥ対ＵＥ干渉に関する情報を共有するために、バックホールまたは同様の通信チャネルを介して通信し得る。上記で説明した干渉シナリオに対する１つの潜在的な解決策は、ビクティムｅＮｏｄｅＢのアップリンクサブフレーム中にのみ、（アグレッサｅＮｏｄｅＢによって）アグレッサＵＥをアップリンク通信（すなわち、送信）に関してスケジュールすることである。（隣接キャリアの場合についての）別の潜在的な解決策は、アグレッサＵＥによってアップリンク通信のために使用されるビクティムｅＮｏｄｅＢのダウンリンクサブフレームのためのエッジリソースブロック（すなわち、干渉をまねき得る通信スペクトルの境界上の通信リソース）を回避することであり得る。
【００５５】
しかしながら、いくつかのシナリオでは、どの特定のＵＥがアグレッサＵＥであるかを識別することは困難であり得る。その場合、アグレッサｅＮｏｄｅＢによってサービスされるすべてのＵＥにスケジューリング制限が適用され得る。たとえば、アグレッサｅＮｏｄｅＢによってサービスされるすべてのＵＥは、ビクティムｅＮｏｄｅＢのアップリンクサブフレーム中にそれらがアップリンク通信にのみ関与するようにスケジュールされ得る。これは、ネイバリングｅＮｏｄｅＢが異なるＴＤＤ構成を用いて動作するときのＵＥ対ＵＥ干渉の場合、エッジｅＮｏｄｅＢしか影響を受けないので、実装することが容易であり得る。そうでない場合、多数のＵＥがアップリンク通信機会を認められないことがあり、これにより、それらのＵＥの通信パフォーマンスが望ましくないものになり得る。同様に、上記解決策は、ビクティムｅＮｏｄｅＢとアグレッサｅＮｏｄｅＢとが同じ事業者によって操作される場合、実装することがより容易であり得る。ビクティムｅＮｏｄｅＢとアグレッサｅＮｏｄｅＢとが異なる商業事業者によって操作される場合、競合する商業事業者の通信パフォーマンスを改善するために１つの商業事業者のｅＮｏｄｅＢに対して制限を課すことは困難であり得る。
【００５６】
そのような場合、商業事業者の地理的領域のエッジ（１つの州と別の州との間の境界など）にあるｅＮｏｄｅＢは、ダウンリンクサブフレームが他の事業者のアップリンクサブフレームとオーバーラップしない構成をビクティム事業者のｅＮｏｄｅＢが使用するように構成され得る。この構成は、ビクティムｅＮｏｄｅＢのＵＥに関するＵＥ対ＵＥ干渉問題を回避することになる。領域エッジからより遠く離れているビクティム事業者のｅＮｏｄｅＢは任意の所望のＴＤＤ構成を使用し得る。たとえば、図９に、近接商業事業者（事業者Ａおよび事業者Ｂ）のｅＮｏｄｅＢを示す。ｅＮｏｄｅＢ９０２は事業者Ａによるものであり、一方、ｅＮｏｄｅＢ９０４、９０６、および９０８は事業者Ｂによるものである。ｅＮｏｄｅＢ９０２と９０４のＵＥ（ＵＥ９１４およびＵＥ９１２など）間の干渉を回避するために、ｅＮｏｄｅＢ９０４は構成Ｃを使用して動作することができ、これは、ｅＮｏｄｅＢ９０２によって使用される構成Ａに対するＵＥ対ＵＥ干渉を回避する。このようにして、事業者Ｂは、事業者領域間のエッジに沿った事業者Ａとの干渉問題を回避し得る。これで、潜在的なビクティムまたはアグレッサＵＥ間の干渉問題が事業者Ｂのネットワーク内に完全に含まれて、他の解決策の実施が可能になり得る。たとえば、事業者Ｂは、すべて事業者Ｂの制御内にある、ｅＮｏｄｅＢ９０４とｅＮｏｄｅＢ９０６および９０８との間のＵＥ対ＵＥ干渉を回避するために、構成Ｂを使用して動作するようにｅＮｏｄｅＢ９０６および９０８を構成することを選択し得る。また、構成Ｂと構成Ｃとの間に潜在的な問題が生じた場合でも、それらは、同じ事業者内で（たとえば、上記で説明したように干渉しているＵＥを再スケジュールすることによって）解決され得る。
【００５７】
事業者領域間のエッジ干渉を回避する手法は、１つの事業者（ビクティム事業者など）が、事業者エッジに沿ってそのｅＮｏｄｅＢを、アグレッサ事業者のｅＮｏｄｅＢと同じ構成で動作するように構成することである。たとえば、図９に関して、事業者Ｂは、ｅＮｏｄｅＢ９０４を、事業者Ａによって制御されるｅＮｏｄｅＢ９０２によって使用されるのと同じ構成である構成Ａに切り替えることができる。これは、ｅＮｏｄｅＢ９０２とｅＮｏｄｅＢ９０４とがサブフレーム内でアップリンク／ダウンリンク衝突を回避することを保証する。別の手法は、上記の表１に示されるようにＴＤＤ構成０を使用することである。サブフレーム０およびサブフレーム５（ＴＤＤ構成０の唯一のダウンリンクサブフレーム）はすべてのＴＤＤ構成についてダウンリンクサブフレームであるので、ＴＤＤ構成０のダウンリンクサブフレームは、他のＴＤＤ構成のアップリンクサブフレームと衝突しない。したがって、１つの事業者のエッジｅＮｏｄｅＢが別の事業者のエッジｅＮｏｄｅＢと無線フレームアラインされる場合、事業者はＴＤＤ構成０においてそのエッジｅＮｏｄｅＢを動作させることを選択し得る。したがって、他の事業者によって使用されるＴＤＤ構成にかかわらず、それらのエッジｅＮｏｄｅＢによってサービスされているＵＥについてダウンリンクサブフレーム上で潜在的なＵＥ対ＵＥ干渉が回避される。このようにしてＴＤＤ構成０で動作することにより、アグレッサ事業者がそのＴＤＤ構成を変更する場合にビクティム事業者がそのＴＤＤ構成を変更しなければならないことが回避され得る。他の手法／ＴＤＤ構成もまた使用され得る。
【００５８】
ＵＥ干渉を回避する別の手法は、ｅＮｏｄｅＢが異なるＵＥに異なるＴＤＤ構成を広告（advertise）することである。言い換えれば、ｅＮｏｄｅＢは、１つのＴＤＤ構成を使用して動作するが、その被サービスＵＥのいくつかに異なるＴＤＤ構成を使用するように命令し得る。このようにして、干渉を受けているビクティムＵＥは、ネイバリングアグレッサｅＮｏｄｅＢのアップリンクサブフレームとオーバーラップするダウンリンクサブフレーム上での通信を回避するようにスケジュールされ得、一方、干渉を受けていないビクティムｅＮｏｄｅＢによってサービスされるＵＥは、追加のダウンリンクサブフレームを用いてＴＤＤ構成で動作し得る。
【００５９】
たとえば、図９を参照すると、ｅＮｏｄｅＢ９０４（ＵＥ９１０および９１２にサービスしている）がＴＤＤ構成２で動作し、ｅＮｏｄｅＢ９０２（ＵＥ９１４にサービスしている）がＴＤＤ構成３で動作している場合、ＵＥ９１４に近接するＵＥ９１２は、ＵＥ９１４がアップリンク通信に関与し、ＵＥ９１２がダウンリンク通信に関与しようと試みているときに、サブフレーム３および４の間にＵＥ９１４から干渉を受けることがある。この干渉を回避するために、ｅＮｏｄｅＢ９０４は、ＵＥ９１２にＴＤＤ構成０に切り替えるように命令し、それによって、サブフレーム３および４におけるＵＥ９１４からのＵＥ９１２への干渉を回避し得る。ｅＮｏｄｅＢ９０４が引き続きＴＤＤ構成２で動作し得るので、ｅＮｏｄｅＢ９０４は、（ＴＤＤ構成０とＴＤＤ構成２との間の差異により）サブフレーム３、４、８、および９中にＵＥ９１２との通信をスケジュールすることはできないが、ｅＮｏｄｅＢ９０４とＵＥ９１０などの他のＵＥとの間の通信は、ＴＤＤ構成２のすべてのサブフレームを使用して通常通り継続し得る。
【００６０】
ＴＤＤ構成は、一般に、すべてのＵＥに共通であるシステム情報ブロック（ＳＩＢ：system information block）１内でＵＥに通信される。特定のＵＥについて上記のＴＤＤ構成切替えを実行するために、ＴＤＤ構成の追加のシグナリングが導入され得る。さらに、ｅＮｏｄｅＢは、どのＵＥが図示されたＵＥ対ＵＥ干渉を観測しているかを識別するためのメカニズムを採用し得る。
【００６１】
上記で説明したように、様々なＴＤＤ構成を用いるＵＥを多重化することは、ＨＡＲＱタイムライン、肯定応答／否定応答（ＡＣＫ／ＮＡＣＫ）またはチャネル品質インデックス（ＣＱＩ：channel quality index）送信を協調させることなど、ｅＮｏｄｅＢに他の課題をもたらし得る。そのような信号は、異なるＵＥによって直交パイロットシーケンス上で送信され得るが、これらの信号を並べ替えることは、サービングＵＥが異なるＴＤＤ構成で動作しているときに実行され得る。上記の解決策のための調整された通信を制御するためのサンプル技法について以下で説明する。
【００６２】
物理アップリンク制御チャネル（ＰＵＣＣＨ）は、ＣＱＩ信号とＡＣＫ信号とを含む。異なるＴＤＤ構成で動作するＵＥは、同じＰＵＣＣＨリソースを使用しようと試み得る。これらの衝突を回避するために、ＣＱＩ周期は、ＵＥが同じリソースを使用してＣＱＩを通信しようと試みないように、ｅＮｏｄｅＢによって設定され得る。ＡＣＫ信号を送るためにＵＥによって使用されるＰＵＣＣＨリソースは、ＵＥがいつダウンリンク情報（たとえば、ＰＤＣＣＨ／ＰＤＳＣＨ）を受信したかと、ＵＥのＴＤＤ構成とに依存する。異なるＵＥについてのＰＤＣＣＨロケーションおよびＰＤＳＣＨ割当ては、アップリンク通信中のＰＵＣＣＨ衝突を回避するように計画され得る。異なるＴＤＤ構成を使用するＵＥについて異なるリソースが割り振られるように、アップリンク制御リソースも増加され得る。衝突を回避するためにＵＥにリソースを割り当てるために、（ＵＥ固有のパラメータである）ＰＵＣＣＨオフセットが使用され得る。
【００６３】
サウンディング基準信号（ＳＲＳ：sounding reference signal）は、アップリンクチャネル測定のためにアップリンク上で送信される。ｅＮｏｄｅＢは、ＵＥ間の衝突を回避するようにＳＲＳ周期とサブフレームオフセットとを設定することができる。物理ＨＡＲＱインジケータチャネル（ＰＨＩＣＨ：Physical HARQ Indicator Channel）は、ＵＥが送信されたアップリンクデータのための肯定応答を受信するダウンリンクチャネルである。（異なるＵＥが同じロケーション／リソースにおいて肯定応答を探している場合の）ＰＨＩＣＨ衝突は、より多数のＰＨＩＣＨグループを使用することによって回避され得る。また、ＵＥが類似のリソースにおいて肯定応答を探さないように、ＵＥ固有のパラメータがＰＨＩＣＨを直交化し得る。
【００６４】
ビクティムＵＥ、すなわち、ＵＥ対ＵＥ干渉を受けている、または受ける可能性があるＵＥを検出することも、課題をもたらす。１つの解決策は、ＵＥがいつ同じサブフレーム上で通信するのが繰り返し困難になるかを識別する。これは、ビクティムｅＮｏｄｅＢのどのダウンリンクサブフレームがネイバリングｅＮｏｄｅＢのアップリンクサブフレームに対応するかに関する情報であり得る。ｅＮｏｄｅＢは、そのような競合しているサブフレームに焦点を当て得、または、ｅＮｏｄｅＢは、それらの競合するサブフレームを、ビクティムＵＥが復号することが困難であると判明している他の競合しないサブフレームと比較し得る。ｅＮｏｄｅＢの照会（inquiry）の結果に基づいて、ｅＮｏｄｅＢは、上記で説明された解決策のうちの１つを実装すべきかどうかを決定し得る。別の技法は、異なるサブフレームに対応するまったく異なるＣＱＩ報告をＵＥがいつ報告するかを識別する。そのような挙動は、ＵＥ対ＵＥ干渉を示し得る。さらなる技法は、ＵＥがいつ（良好に報告された基準信号受信電力（ＲＳＲＰ：reference signal receive power）またはＣＱＩによって示される）良好なチャネル品質を示しているが、受信データを復号するのが困難であるか、を識別する。また、ＵＥがＬＴＥ通信のための良好なＲＳＲＰを有するにもかかわらず異なるネットワーク（２Ｇ／３Ｇなど）にハンドオフする場合、それはまたＵＥ対ＵＥ干渉を示し得る。
【００６５】
ＵＥが隣接帯域幅から干渉を受けているときには、さらなる技法が適用され得る。サブバンドＣＱＩ報告（すなわち、通信周波数の異なる領域に対応するＣＱＩ報告）に基づいて、ビクティムＵＥは、ＵＥが干渉ＵＥの帯域幅から遠ざかるにつれて減少する干渉を示し得る。この挙動が識別される場合、ビクティムＵＥは、ＵＥ対ＵＥ干渉を受けていると識別され得る。
【００６６】
ＵＥはまた、それが受けている干渉を監視し、基地局に干渉レベルを報告し得る。ＵＥが、サブフレーム間で顕著なばらつきがある干渉を報告する場合、このばらつきはＵＥ対ＵＥ干渉を示し得る。また、ＵＥは、ＵＥが同じ帯域幅を使用するが異なるＴＤＤ構成を使用する基地局のセルのエッジの近くにあることを基地局に報告する場合、そのＵＥは、ＵＥ対ＵＥ干渉を受けている、可能性のあるビクティムＵＥとして識別され得る。
【００６７】
アグレッサＵＥ、すなわち、ＵＥ対ＵＥ干渉を引き起こしている、または引き起こす可能性があるＵＥを検出することも、課題をもたらす。１つの技法では、ＵＥが、セルのエッジ上にあり、サービング基地局とは異なるＴＤＤ構成を使用している（たとえば、高いＲＳＲＰをもつ）非サービング基地局から強い信号を検出することができる場合、そのＵＥはアグレッサＵＥであり得る。ＴＤＤ構成のいくつかの組合せでは、いくつかのサブフレームについてアグレッサであるＵＥはまた、異なるサブフレームについてビクティムＵＥであり得る。したがって、ビクティムＵＥを識別するための技法は、また、潜在的なアグレッサＵＥを識別するためにも適用され得る。
【００６８】
ＵＥ対ＵＥ干渉のいくつかの影響を回避するために、ＵＥがいくつかのアップリンクサブフレームで送信するのを防ぐための技法が採用され得る。アップリンクサブフレームは、アップリンクデータと、（ダウンリンクデータの受信に肯定応答する）ＡＣＫ／ＮＡＣＫメッセージと、チャネル品質インデックス（ＣＱＩ）報告と、サウンディング基準信号（ＳＲＳ）とを送信する。基地局は、ＵＥに所望のサブフレームについてのアップリンク許可を送ることのみによってＵＥのアップリンクアクティビティを制限し得る。（基地局からＵＥへのＡＣＫ／ＮＡＣＫメッセージによって示されるように）ＵＥのアップリンク送信試行が失敗する場合、ＵＥは、基地局によってスケジュールされないアップリンクサブフレームにおいてアップリンク再送信を試み得る。望ましくないサブフレーム上でのアップリンク再送信を回避するために、データパケットの元の送信が正常に復号されなかった場合でも、基地局は、ＵＥに確認応答メッセージを送り得る。基地局は、次いで、復号に成功しなかったデータパケットが再送信されることを要求するＵＥに新しい許可をスケジュールし得る。
【００６９】
ＣＱＩ周期、ＳＲＳ周期およびサブフレームオフセットは、それらのメッセージが所望のアップリンクサブフレーム上でのみ送られるように、基地局によって構成され得る。アップリンクＡＣＫ／ＮＡＣＫメッセージは、特定のダウンリンクサブフレームに対応する特定のアップリンクサブフレーム上で送られる。アップリンクＡＣＫ／ＮＡＣＫメッセージが望ましくないアップリンクサブフレーム上で送られるのを回避するために、基地局は、所望のアップリンクサブフレームに一致するＡＣＫ／ＮＡＣＫ構成でダウンリンクサブフレーム上のＵＥへのダウンリンクメッセージをスケジュールし得る。
【００７０】
ＵＥ対ＵＥ干渉を回避するために、潜在的なアグレッサＵＥのアップリンクリソースのスケジューリングは、干渉を引き起こすであろうサブフレームのエッジリソースブロックを回避するために優先され得る。ＵＥは、リソース割振りと送信電力とに基づいて潜在的なアグレッサとして識別され得る。たとえば、高出力で送信するＵＥおよび／または多数のリソースブロックを割り振られたＵＥは、潜在的なアグレッサとして識別され得る。別の態様では、識別された干渉ＵＥのアップリンク通信は、干渉を引き起こすであろうサブフレームのエッジリソースブロックを回避するようにスケジュールされる。また別の態様では、アグレッサＵＥは、より少ないリソースを割り振られる。さらに別の態様では、アグレッサＵＥは、それら自体に対する干渉を制御するか、またはそれらがアグレッサであることを基地局に報告する。
【００７１】
図１０に、方法１０００を示す。ブロック１００２において、デバイスは、第１の時分割複信（ＴＤＤ）構成にしたがって基地局の第１のセットによってサービスされるユーザ機器（ＵＥ）をスケジュールする。基地局の第１のセットは、第２のＴＤＤ構成で動作する第１の領域中の基地局の第２のセットと第３のＴＤＤ構成で動作する第２の領域中の基地局の第３のセットとの間に位置する。基地局の第１のセットが第２のセットと第３のセットとの間にあることは、必ずしも基地局が同一線上にあることを意味するものではない。さらに、各セットは１つまたは複数の基地局を含み得る。たとえば、第３のセットと第２のセットとの間の基地局の第１のセットは、基地局の第１のセットが互いの間でほとんどまたは全くオーバーラップしない他の基地局のカバレージエリアの近くにあるか、あるいはそれらのカバレージエリアとオーバーラップする状況を含み得る。一例として、図９の基地局９０４は、基地局９０８が基地局９０６とオーバーラップしない場合でも、基地局９０２と基地局９０８との間にあり得る。第１のＴＤＤ構成は、第２のＴＤＤ構成のアップリンクサブフレームと衝突するダウンリンクサブフレームを有しない。ブロック１００４において、デバイスは、ＵＥと第３のＴＤＤ構成で動作する基地局とに対するユーザ機器対ユーザ機器干渉を回避するために基地局の第１のセットによってサービスされるＵＥを制限する。
【００７２】
図１１に方法１１００を示す。ブロック１１０２において、デバイスは、第１のユーザ機器（ＵＥ）と第２のＵＥとの通信フレームがアラインされたときに、第１のＵＥのダウンリンク時分割複信（ＴＤＤ）通信が第２のＵＥのアップリンクＴＤＤ通信からの干渉をいつ受けるかを決定する。ブロック１１０４において、デバイスは、干渉を低減するように通信をスケジュールする。
【００７３】
一構成では、ｅＮｏｄｅＢ６１０は、決定するための手段と、制限するための手段と、スケジュールするための手段とを含んで、ワイヤレス通信のために構成される。一態様では、それら手段は、それらの手段によって具陳された機能を実行するように構成された、送信プロセッサ６１６、受信プロセッサ６７０、アンテナ６２０、コントローラプロセッサ６７５および／またはメモリ６４６であり得る。別の態様では、上述の手段は、上述の手段によって具陳された機能を実行するように構成された任意のモジュールまたは任意の装置であり得る。
【００７４】
図１２は、処理システム１２１４を採用する装置１２００のためのハードウェア実装形態の一例を示す図である。処理システム１２１４は、バス１２２４によって概略的に表されるバスアーキテクチャを用いて実装され得る。バス１２２４は、処理システム１２１４の特定の適用例および全体的な設計制約に応じて、任意の数の相互接続バスおよびブリッジを含み得る。バス１２２４は、プロセッサ１２２２によって表される１つまたは複数のプロセッサおよび／またはハードウェアモジュールと、モジュール１２０２、１２０４と、コンピュータ可読媒体１２２６とを含む様々な回路を互いにリンクする。バス１２２４はまた、タイミングソース、周辺機器、電圧調整器、および電力管理回路など、様々な他の回路をリンクし得るが、これらの回路は当技術分野においてよく知られており、したがって、これ以上説明しない。
【００７５】
本装置は、トランシーバ１２３０に結合された処理システム１２１４を含む。トランシーバ１２３０は、１つまたは複数のアンテナ１２２０に結合される。トランシーバ１２３０は、伝送媒体を介して様々な他の装置と通信することを可能にする。処理システム１２１４は、コンピュータ可読媒体１２２６に結合されたプロセッサ１２２２を含む。プロセッサ１２２２は、コンピュータ可読媒体１２２６に記憶されたソフトウェアの実行を含む一般的な処理を担う。ソフトウェアは、プロセッサ１２２２によって実行されたとき、処理システム１２１４に、いずれかの特定の装置について説明される様々な機能を実行させる。コンピュータ可読媒体１２２６はまた、ソフトウェアを実行するときにプロセッサ１２２２によって操作されるデータを記憶するために使用され得る。
【００７６】
処理システムは、決定モジュール１２０２と、スケジューリングモジュール１２０４と、制限モジュール１２０６とを含む。決定モジュール１２０２は、第１のＵＥと第２のＵＥとの通信フレームがアラインされたときに、第１のＵＥのダウンリンクＴＤＤ通信が第２のＵＥのアップリンクＴＤＤ通信からの干渉をいつ受けるかを決定することができる。スケジューリングモジュール１２０４は、干渉を低減するように通信をスケジュールすることができる。スケジューリングモジュール１２０４はまた、第１のＴＤＤ構成にしたがって基地局の第１のセットによってサービスされるＵＥをスケジュールすることができる。基地局の第１のセットは、第２のＴＤＤ構成で動作する第１の領域中の基地局の第２のセットと第３のＴＤＤ構成で動作する第２の領域中の基地局の第３のセットとの間に位置する。第１のＴＤＤ構成は、第２のＴＤＤ構成のアップリンクサブフレームと衝突するダウンリンクサブフレームを有しない。制限モジュール１２０６は、ＵＥと第３のＴＤＤ構成で動作する基地局とに対するユーザ機器対ユーザ機器干渉を回避するために基地局の第１のセットによってサービスされるＵＥを制限することができる。
【００７７】
それらのモジュールは、プロセッサ１２２２中で動作するか、コンピュータ可読媒体１２２６中に常駐する／記憶されたソフトウェアモジュールであるか、プロセッサ１２２２に結合された１つまたは複数のハードウェアモジュールであるか、またはそれらの何らかの組合せであり得る。処理システム１２１４は、ＵＥ６５０またはｅＮｏｄｅＢ６１０の構成要素であり得、メモリ６６０、送信プロセッサ６６８、受信プロセッサ６５６、変調器／復調器６５４ａ〜ｒ、アンテナ６５２ａ〜ｒ、および／またはコントローラ／プロセッサ６５９を含み得る。
【００７８】
さらに、本明細書の開示に関して説明された様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課される設計制約に依存する。当業者は、説明された機能を特定の適用例ごとに様々な方法で実装し得るが、そのような実装の決定は、本開示の範囲からの逸脱を生じるものと解釈されるべきではない。
【００７９】
本明細書の開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８０】
本明細書の開示に関して説明された方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００８１】
１つまたは複数の例示的な設計では、説明された機能は、ハードウェア、ソフトウェア、ファームウェア、またはそれらの組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。
【００８２】
本開示についての以上の説明は、いかなる当業者も本開示を作成または使用することができるように与えられたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に、本願出願の当初の特許請求の範囲に記載された発明を付記する。
［Ｃ１］
ワイヤレス通信の方法であって、
第１の時分割複信（ＴＤＤ）構成にしたがって基地局の第１のセットによってサービスされるユーザ機器（ＵＥ）をスケジュールすることであって、基地局の前記第１のセットが、第２のＴＤＤ構成で動作する第１の領域中の基地局の第２のセットと第３のＴＤＤ構成で動作する第２の領域中の基地局の第３のセットとの間に位置し、前記第１のＴＤＤ構成が、前記第２のＴＤＤ構成のアップリンクサブフレームと衝突するダウンリンクサブフレームを有しない、スケジュールすることと、
ＵＥと前記第３のＴＤＤ構成で動作する基地局とに対するユーザ機器対ユーザ機器干渉を回避するために基地局の前記第１のセットによってサービスされるＵＥを制限することと
を備える、方法。
［Ｃ２］
前記第１のＴＤＤ構成が前記第３のＴＤＤ構成と同じである、Ｃ１に記載の方法。
［Ｃ３］
前記第１のＴＤＤ構成がロングタームエボリューション（ＬＴＥ）ＴＤＤ構成０である、Ｃ１に記載の方法。
［Ｃ４］
アグレッサＵＥが前記干渉を引き起こすことを検出することをさらに備える、Ｃ１に記載の方法。
［Ｃ５］
ビクティムＵＥが前記干渉を受けることを検出することをさらに備える、Ｃ１に記載の方法。
［Ｃ６］
ワイヤレス通信のための装置であって、
第１の時分割複信（ＴＤＤ）構成にしたがって基地局の第１のセットによってサービスされるユーザ機器（ＵＥ）をスケジュールするための手段であって、基地局の前記第１のセットが、第２のＴＤＤ構成で動作する第１の領域中の基地局の第２のセットと第３のＴＤＤ構成で動作する第２の領域中の基地局の第３のセットとの間に位置し、前記第１のＴＤＤ構成が、前記第２のＴＤＤ構成のアップリンクサブフレームと衝突するダウンリンクサブフレームを有しない、スケジュールするための手段と、
ＵＥと前記第３のＴＤＤ構成で動作する基地局とに対するユーザ機器対ユーザ機器干渉を回避するために基地局の前記第１のセットによってサービスされるＵＥを制限するための手段と
を備える、装置。
［Ｃ７］
ワイヤレス通信のために構成されたコンピュータプログラム製品であって、前記コンピュータプログラム製品が、
非一時的プログラムコードを記録した非一時的コンピュータ可読媒体を備え、前記プログラムコードが、
第１の時分割複信（ＴＤＤ）構成にしたがって基地局の第１のセットによってサービスされるユーザ機器（ＵＥ）をスケジュールするためのプログラムコードであって、基地局の前記第１のセットが、第２のＴＤＤ構成で動作する第１の領域中の基地局の第２のセットと第３のＴＤＤ構成で動作する第２の領域中の基地局の第３のセットとの間に位置し、前記第１のＴＤＤ構成が、前記第２のＴＤＤ構成のアップリンクサブフレームと衝突するダウンリンクサブフレームを有しない、スケジュールするためのプログラムコードと、
ＵＥと前記第３のＴＤＤ構成で動作する基地局とに対するユーザ機器対ユーザ機器干渉を回避するために基地局の前記第１のセットによってサービスされるＵＥを制限するためのプログラムコードと
を備える、コンピュータプログラム製品。
［Ｃ８］
ワイヤレス通信のために構成された装置であって、
メモリと、
前記メモリに結合された少なくとも１つのプロセッサであって、
第１の時分割複信（ＴＤＤ）構成にしたがって基地局の第１のセットによってサービスされるユーザ機器（ＵＥ）をスケジュールすることであって、基地局の前記第１のセットが、第２のＴＤＤ構成で動作する第１の領域中の基地局の第２のセットと第３のＴＤＤ構成で動作する第２の領域中の基地局の第３のセットとの間に位置し、前記第１のＴＤＤ構成が、前記第２のＴＤＤ構成のアップリンクサブフレームと衝突するダウンリンクサブフレームを有しない、スケジュールすることと、
ＵＥと前記第３のＴＤＤ構成で動作する基地局とに対するユーザ機器対ユーザ機器干渉を回避するために基地局の前記第１のセットによってサービスされるＵＥを制限することと
を行うように構成された少なくとも１つのプロセッサと
を備える、装置。
［Ｃ９］
前記第１のＴＤＤ構成が前記第３のＴＤＤ構成と同じである、Ｃ８に記載の装置。
［Ｃ１０］
前記第１のＴＤＤ構成がロングタームエボリューション（ＬＴＥ）ＴＤＤ構成０である、Ｃ８に記載の装置。
［Ｃ１１］
前記少なくとも１つのプロセッサが、アグレッサＵＥがユーザ機器対ユーザ機器干渉を引き起こすことを検出するようにさらに構成された、Ｃ８に記載の装置。
［Ｃ１２］
前記少なくとも１つのプロセッサが、ビクティムＵＥがユーザ機器対ユーザ機器干渉を受けることを検出するようにさらに構成された、Ｃ８に記載の装置。
［Ｃ１３］
ワイヤレス通信の方法であって、
第１のユーザ機器（ＵＥ）と第２のＵＥとの通信フレームがアラインされたときに、前記第１のＵＥのダウンリンク時分割複信（ＴＤＤ）通信が前記第２のＵＥのアップリンクＴＤＤ通信からの干渉をいつ受けるかを決定することと、
前記干渉を低減するように通信をスケジュールすることと
を備える、方法。
［Ｃ１４］
前記スケジュールすることが、前記第１のＵＥがアップリンク通信に関与するときには、サブフレーム上でのみ前記第２のＵＥのアップリンク通信をスケジュールすることを含む、Ｃ１３に記載の方法。
［Ｃ１５］
前記スケジュールすることが、新しいＴＤＤ構成で前記第１のＵＥをスケジュールすることを含む、Ｃ１３に記載の方法。
［Ｃ１６］
前記新しいＴＤＤ構成が、前記第１のＵＥをサービスする基地局によってサービスされる他のＵＥとは異なるＴＤＤ構成である、Ｃ１５に記載の方法。
［Ｃ１７］
前記スケジュールすることが、ＴＤＤ構成０で前記第１のＵＥをスケジュールすることを含む、Ｃ１３に記載の方法。
［Ｃ１８］
前記第２のＵＥが前記干渉を引き起こすことを検出することをさらに備える、Ｃ１３に記載の方法。
［Ｃ１９］
前記第１のＵＥが前記干渉を受けることを検出することをさらに備える、Ｃ１３に記載の方法。
［Ｃ２０］
前記スケジュールすることが、前記第１のＵＥによって使用される周波数に最も近い周波数上で少なくとも１つのエッジリソースブロックを回避するように前記第２のＵＥのアップリンク通信をスケジュールすることを含む、Ｃ１３に記載の方法。
［Ｃ２１］
前記スケジュールすることが、前記干渉を引き起こすであろうサブフレームの少なくとも１つのエッジリソースブロックを回避するように潜在的なアグレッサＵＥのアップリンクリソースをスケジュールすることを優先させることを含む、Ｃ１３に記載の方法。
［Ｃ２２］
前記潜在的なアグレッサＵＥが、高出力で送信するＵＥおよび／または多数のリソースブロックを割り振られたＵＥを含む、Ｃ２１に記載の方法。
［Ｃ２３］
前記スケジュールすることが、前記干渉を引き起こすであろうサブフレームの少なくとも１つのエッジリソースブロックを回避するように前記第２のＵＥのアップリンク通信をスケジュールすることを含む、Ｃ１３に記載の方法。
［Ｃ２４］
前記スケジュールすることが、前記第２のＵＥが前記第１のＵＥに対する干渉を回避するようにその通信をスケジュールすることを含む、Ｃ１３に記載の方法。
［Ｃ２５］
前記第２のＵＥが前記決定することを実行し、前記方法が、基地局に干渉の報告を送ることをさらに備える、Ｃ１３に記載の方法。
［Ｃ２６］
前記スケジュールすることが、前記第２のＵＥへのリソース割振りを低減することを含む、Ｃ１３に記載の方法。
［Ｃ２７］
ワイヤレス通信のための装置であって、
第１のユーザ機器（ＵＥ）と第２のＵＥとの通信フレームがアラインされたときに、前記第１のＵＥのダウンリンク時分割複信（ＴＤＤ）通信が前記第２のＵＥのアップリンクＴＤＤ通信からの干渉をいつ受けるかを決定するための手段と、
前記干渉を低減するように通信をスケジュールするための手段と
を備える、装置。
［Ｃ２８］
ワイヤレス通信のために構成されたコンピュータプログラム製品であって、前記コンピュータプログラム製品が、
非一時的プログラムコードを記録した非一時的コンピュータ可読媒体を備え、前記プログラムコードが、
第１のユーザ機器（ＵＥ）と第２のＵＥとの通信フレームがアラインされたときに、前記第１のＵＥのダウンリンク時分割複信（ＴＤＤ）通信が前記第２のＵＥのアップリンクＴＤＤ通信からの干渉をいつ受けるかを決定するためのプログラムコードと、
前記干渉を低減するように通信をスケジュールするためのプログラムコードと
を備える、コンピュータプログラム製品。
［Ｃ２９］
ワイヤレス通信のために構成された装置であって、
メモリと、
前記メモリに結合された少なくとも１つのプロセッサであって、
第１のユーザ機器（ＵＥ）と第２のＵＥとの通信フレームがアラインされたときに、前記第１のＵＥのダウンリンク時分割複信（ＴＤＤ）通信が前記第２のＵＥのアップリンクＴＤＤ通信からの干渉をいつ受けるかを決定することと、
前記干渉を低減するように通信をスケジュールすることと
を行うように構成された少なくとも１つのプロセッサと
を備える、装置。
［Ｃ３０］
前記少なくとも１つのプロセッサが、前記第１のＵＥがアップリンク通信に関与するときには、サブフレーム上でのみ前記第２のＵＥのアップリンク通信をスケジュールするようにさらに構成された、Ｃ２９に記載の装置。
［Ｃ３１］
前記少なくとも１つのプロセッサが、新しいＴＤＤ構成で前記第１のＵＥをスケジュールするようにさらに構成された、Ｃ２９に記載の装置。
［Ｃ３２］
前記新しいＴＤＤ構成が、前記第１のＵＥをサービスする基地局によってサービスされる他のＵＥとは異なるＴＤＤ構成である、Ｃ３１に記載の装置。
［Ｃ３３］
前記少なくとも１つのプロセッサが、ＴＤＤ構成０で前記第１のＵＥをスケジュールするようにさらに構成された、Ｃ２９に記載の装置。
［Ｃ３４］
前記少なくとも１つのプロセッサが、アグレッサＵＥがユーザ機器対ユーザ機器干渉を引き起こすことを検出するようにさらに構成された、Ｃ２９に記載の装置。
［Ｃ３５］
前記少なくとも１つのプロセッサが、ビクティムＵＥがユーザ機器対ユーザ機器干渉を受けることを検出するようにさらに構成された、Ｃ２９に記載の装置。
［Ｃ３６］
前記少なくとも１つのプロセッサが、前記第１のＵＥによって使用される周波数に最も近い周波数上で少なくとも１つのエッジリソースブロックを回避するように前記第２のＵＥのアップリンク通信をスケジュールするようにさらに構成された、Ｃ２９に記載の装置。
［Ｃ３７］
前記少なくとも１つのプロセッサが、前記干渉を引き起こすであろうサブフレームの少なくとも１つのエッジリソースブロックを回避するように潜在的なアグレッサＵＥのアップリンクリソースのスケジューリングを優先させることによってスケジュールするようにさらに構成された、Ｃ２９に記載の装置。
［Ｃ３８］
前記潜在的なアグレッサＵＥが、高出力で送信するＵＥおよび／または多数のリソースブロックを割り振られたＵＥを含む、Ｃ３７に記載の装置。
［Ｃ３９］
前記少なくとも１つのプロセッサが、前記干渉を引き起こすであろうサブフレームの少なくとも１つのエッジリソースブロックを回避するように前記第２のＵＥのアップリンク通信をスケジュールすることによってスケジュールするようにさらに構成された、Ｃ２９に記載の装置。
［Ｃ４０］
前記第２のＵＥが前記少なくとも１つのプロセッサを含み、前記少なくとも１つのプロセッサが、前記第１のＵＥに対する干渉を回避するように前記第２のＵＥの通信をスケジュールするようにさらに構成された、Ｃ２９に記載の装置。
［Ｃ４１］
前記第２のＵＥが前記少なくとも１つのプロセッサを含み、前記少なくとも１つのプロセッサが、基地局に干渉を報告するようにさらに構成された、Ｃ２９に記載の装置。
［Ｃ４２］
前記少なくとも１つのプロセッサが、前記第２のＵＥへのリソース割振りを低減するようにさらに構成された、Ｃ２９に記載の装置。
【図１】
0005823632.tif 000003
【図２】
0005823632.tif 000004
【図３】
0005823632.tif 000005
【図４】
0005823632.tif 000006
【図５】
0005823632.tif 000007
【図６】
0005823632.tif 000008
【図７】
0005823632.tif 000009
【図８】
0005823632.tif 000010
【図９】
0005823632.tif 000011
【図１０】
0005823632.tif 000012
【図１１】
0005823632.tif 000013
【図１２】
0005823632.tif 000014